(57)【要約】【課題】頭部に液体吐出部を直接接触して載置することなく、空中に位置させ衛生的使用を可能にし、かつ、被施術者の頭部形状、好みの位置に合わせ、液体噴射位置を自在に変更することができるとともに、液体噴射位置を個別に微調整することもできるシャワー装置を提供する。【解決手段】容器に溜められた液体を頭皮又は／及び頭髪に循環シャワーするシャワー装置であって、液体を吸引吐出するポンプと、ポンプの吐出口に接続する可撓性の第一チューブと、第一チューブに接続し、被施術者の頭部から浮いた状態で頭部にシャワーを噴射するノズルユニットと、ノズルユニットに接続する第二チューブと、第二チューブに接続する軸と、軸を固定することで第二チューブの位置を固定する容器に着脱可能な第一固定具と、第一チューブを挟持してポンプ及び第一チューブの位置を固定する容器に着脱可能な第二固定具と、からなることを特徴とするシャワー装置の構成とした。【選択図】図１
2015116465.tif 000002
【特許請求の範囲】
【請求項１】
容器に溜められた液体を頭皮又は／及び頭髪に循環シャワーするシャワー装置であって、
前記液体を吸引吐出するポンプと、
前記ポンプの吐出口に接続する可撓性の第一チューブと、
前記第一チューブに接続し、被施術者の頭部から浮いた状態で前記頭部にシャワーを噴射するノズルユニットと、
前記ノズルユニットに接続する第二チューブと、
前記第二チューブの他端に接続する軸と、
前記軸を固定することで前記第二チューブの位置を固定する前記容器に着脱可能な第一固定具と、
前記第一チューブを挟持して前記ポンプ及び前記第一チューブの位置を固定する前記容器に着脱可能な第二固定具と、
からなることを特徴とするシャワー装置。
【請求項２】
前記ノズルユニットが、被施術者の頭部の形状にそって形状可変であることを特徴とする請求項１に記載のシャワー装置。
【請求項３】
前記ノズルユニットが、
前記第一チューブに接続する複数のジョイント管と、
前記複数のジョイント管の他端部に接続するＬ字管と、
前記Ｌ字管の他端に接続し前記液体を噴射するノズルを備えた複数のＴ字管と、
前記複数のＴ字管の他端部に接続する第二Ｌ字管と、
前記第二Ｌ字管の他端に接続するソケット管と、
前記ソケット管の他端に接続し前記第二チューブ端部に位置する螺合部に接合するネジ管と、
前記第二Ｌ字管内に配置され前記液体の送液を止めるストッパと、
からなり、
前記各管の接続部を回動可能に連結したことを特徴とする請求項１又は請求項２に記載のシャワー装置。
【請求項４】
前記第二チューブの一部、ネジ管、ソケット管及び第二Ｌ字管内に挿通、固定されたシャフトを備え、前記第二チューブの一部、ネジ管、ソケット管及び第二Ｌ字管を直線状に保持することを特徴とする請求項３に記載のシャワー装置。
【請求項５】
前記複数のＴ字管の被施術者の額上方の重なり部分をネジで固定して、直線状に保持したことを特徴とする請求項３又は請求項４に記載のシャワー装置。
【請求項６】
前記Ｔ字管に、ノズル部の他に穴を穿設し、シャワーの噴射量を増量させたことを特徴とする請求項３〜請求項５の何れか１項に記載のシャワー装置。
【請求項７】
前記第一固定具が、前記容器に着脱可能に吸着する吸盤と、前記吸盤の起立部に穿設された穴とからなり、吸着位置自在であることを特徴とする請求項１〜請求項６の何れか１項に記載のシャワー装置。
【請求項８】
前記第二固定具が、前記容器に着脱可能に吸着する吸盤と、前記吸盤に回動可能に備えられた挟持部とからなり、前記挟持部に前記第一チューブを挟み位置固定するとともに、前記吸盤が吸着位置自在であることを特徴とする請求項１〜請求項７の何れか１項に記載のシャワー装置。
【請求項９】
前記ポンプの吸入口を、髪の吸引を防ぐ網状物で覆ったことを特徴とする請求項１〜請求項８の何れか１項に記載のシャワー装置。
【請求項１０】
前記液体の温度を所定温度に加温・保持する加熱器を備えることを特徴とする請求項１〜請求項９の何れか１項に記載のシャワー装置。
【請求項１１】
前記容器が、シャンプーボウルであることを特徴とする請求項１〜請求項１０の何れか１項に記載のシャワー装置。
【請求項１２】
前記液体が、頭皮又は及び頭髪のケアに有効な成分を含むことを特徴とする請求項１〜請求項１１の何れか１項に記載のシャワー装置。
【請求項１３】
前記液体に、トリートメント剤を含むことを特徴とする請求項１〜請求項１２の何れか１項に記載のシャワー装置。
【請求項１４】
前記ポンプの吐出口から前記ノズルユニットを外した上で前記ポンプの吐出口に別体シャワーヘッド接続し、
又は前記ノズルユニットへの送液を前記第一チューブで分岐させて、一方の分岐に前記ノズルユニットを他方の分岐に別体シャワーヘッド接続し、
被施術者の後頭部にも前記液体を循環シャワーすることを特徴とする請求項１〜請求項１３の何れか１項に記載のシャワー装置。
【請求項１５】
液体吸入側に接続する複数のジョイント管と、
前記複数のジョイント管の他端部に接続するＬ字管と、
前記Ｌ字管の他端に接続し前記液体を噴射するノズルを備えた複数のＴ字管と、
前記複数のＴ字管の他端部に接続する第二Ｌ字管と、
前記第二Ｌ字管の他端に接続するソケット管と、
前記ソケット管の他端に接続し、位置固定具によって位置固定されるネジ管と、
前記第二Ｌ字管内に配置され、前記液体の送液を止めるストッパと、
からなり、
前記各管の接続部を回動可能に連結したことを特徴とするノズルユニット。
【請求項１６】
容器に溜められた液体を頭皮又は／及び頭髪に循環シャワーするシャワー装置であって、
前記液体を吸引吐出するポンプと、
前記ポンプの吐出口に接続する可撓性の第一チューブと、
前記第一チューブに接続し、他端が封止され、被施術者の頭部から浮いた状態で前記頭部にシャワーを噴射するノズルユニットと、
前記ノズルユニットの途中に接続し、前記ノズルユニットの位置固定をする固定具と、
からなることを特徴とするシャワー装置。
【請求項１７】
前記ノズルユニットが、
前記第一チューブに接続する複数のジョイント管と、
前記複数のジョイント管の他端部に接続するＹ字管と、
前記Ｙ字管の分岐の一方に接続し前記液体を噴射するノズルを備えた複数のＴ字管と、
前記複数のＴ字管の終端と、
前記複数のＴ字管の他端部を封止するエンド管と、
前記Ｙ字管の分岐の他方に接続するソケット管と、
前記ソケット管の他端に接続し前記固定具端部の螺合部に接合するネジ管と、
からなり、
前記各管の接続部を回動可能に連結したことを特徴とする請求項１６に記載のシャワー装置。
【請求項１８】
前記第一チューブを、前記容器の底部に着脱可能に吸着する吸盤部と、前記吸盤部に連設し前記第一チューブを通すリング部とからなる第二固定具で固定したことを特徴とする請求項１６又は請求項１７に記載のシャワー装置。
【発明の詳細な説明】
【技術分野】
【０００１】
本発明は、容器に溜めた液体、例えば頭皮、頭髪のケアに有効な成分を含む液体を頭部に循環シャワーするシャワー装置に関し、特に、美容院・美容室、理容室などに設置されたシャンプー時に使用するシャンプーボウル内に液体を溜め、頭部に前記液体を循環シャワーし、頭皮又は／及び髪をケアするためのシャワー装置に関する。
【背景技術】
【０００２】
頭部にケア成分を含む液体を循環シャワーする装置として、特許文献１の「液体循環による頭皮及び頭髪のケア方法及び用具」が公開されている。
【０００３】
特許文献１によれば、近年、高濃度炭酸温水による頭皮および頭髪のケアが注目を浴びているが、高濃度炭酸温水を頭部にシャワーなどで掛けながらマッサージする方法が一般的であり、その効果を最大限に上げるためには、５分から１０分間行うことが好ましいとされる。しかしながら、それだけの時間施術しようとすると、施術者への負担が大きいばかりか、お湯や炭酸ガスの消費量が増えて非経済的であった。
そこで、それを解決するため、シャンプーボウルなどに溜めた高濃度炭酸温水をポンプなどにより吸い上げて額近傍から頭頂部に向けて静かに流し、再びシャンプーボウルに戻すような循環を行うことにより、施術者への負担を減らすとともに、お湯や炭酸ガスの消費を抑えることができ、その方法と用具を具体的に提案している。
それにより、施術者の負担とお湯や炭酸ガスの消費を軽減するだけではなく、頭皮や頭髪全体を長時間炭酸温水に浸すことができ大きな効果が期待できるというものである。
【０００４】
特許文献１の発明は、具体的には、額から両耳の上部に渡って直接載せた装着用具７に設けられた吐水穴（図示せず）から出た炭酸温水８が頭皮および頭髪を伝って静かに流れ落ちる構成である。流れ落ちた液体は、シャンプーボウル１に戻り、溜められ、再びポンプで装着用具７から頭皮、頭髪に流され、循環利用される。
【０００５】
しかしながら、特許文献１の発明では、装着用具７を被施術者の額に直接載せ、接触させるもので、衛生的でない。また、顔方向への液体の流れも起こり、設置位置の位置決めが極めて困難である。加えて、顔位置への流れを防ぐため装着用具７を頭頂部方向に設置すると、頭部に留まることができず、シャワーボウル内に脱落してしまい、実際の使用に耐えない。
【先行技術文献】
【特許文献】
【０００６】
【特許文献１】特開２０１１−８７８９６号公報
【発明の概要】
【発明が解決しようとする課題】
【０００７】
そこで、本発明は、頭部に液体吐出部を直接接触して載置することなく、空中に位置させ衛生的使用を可能にし、かつ、被施術者の頭部形状、好みの位置に合わせ、液体噴射位置を自在に変更することができるとともに、液体噴射位置を個別に微調整することもできるシャワー装置を提供することを目的とする。
【課題を解決するための手段】
【０００８】
本発明は、上記課題を解決するため、
（１）
容器に溜められた液体を頭皮又は／及び頭髪に循環シャワーするシャワー装置であって、
前記液体を吸引吐出するポンプと、
前記ポンプの吐出口に接続する可撓性の第一チューブと、
前記第一チューブに接続し、被施術者の頭部から浮いた状態で前記頭部にシャワーを噴射するノズルユニットと、
前記ノズルユニットに接続する第二チューブと、
前記第二チューブの他端に接続する軸と、
前記軸を固定することで前記第二チューブの位置を固定する前記容器に着脱可能な第一固定具と、
前記第一チューブを挟持して前記ポンプ及び前記第一チューブの位置を固定する前記容器に着脱可能な第二固定具と、
からなることを特徴とするシャワー装置の構成とした。
（２）
前記ノズルユニットが、被施術者の頭部の形状にそって形状可変であることを特徴とする（１）に記載のシャワー装置の構成とした。
（３）
前記ノズルユニットが、
前記第１チューブに接続する複数のジョイント管と、
前記複数のジョイント管の他端部に接続するＬ字管と、
前記Ｌ字管の他端に接続し前記液体を噴射するノズルを備えた複数のＴ字管と、
前記複数のＴ字管の他端部に接続する第二Ｌ字管と、
前記第二Ｌ字管の他端に接続するソケット管と、
前記ソケット管の他端に接続し前記第二チューブ端部に位置する螺合部に接合するネジ管と、
前記第二Ｌ字管内に配置され前記液体の送液を止めるストッパと、
からなり、
前記各管の接続部を回動可能に連結したことを特徴とする（１）又は（２）に記載のシャワー装置の構成とした。
（４）
前記第二チューブの一部、ネジ管、ソケット管及び第二Ｌ字管内に挿通、固定されたシャフトを備え、前記第二チューブの一部、ネジ管、ソケット管及び第二Ｌ字管を直線状に保持することを特徴とする（３）に記載のシャワー装置の構成とした。
（５）
前記複数のＴ字管の被施術者の額上方の重なり部分をネジで固定して、直線状に保持したことを特徴とする（３）又は（４）に記載のシャワー装置の構成とした。
（６）
前記Ｔ字管に、ノズル部の他に穴を穿設し、シャワーの噴射量を増量させたことを特徴とする（３）〜（５）の何れかに記載のシャワー装置の構成とした。
（７）
前記第一固定具が、前記容器に着脱可能に吸着する吸盤と、前記吸盤の起立部に穿設された穴とからなり、吸着位置自在であることを特徴とする（１）〜（６）の何れかに記載のシャワー装置の構成とした。
（８）
前記第二固定具が、前記容器に着脱可能に吸着する吸盤と、前記吸盤に回動可能に備えられた挟持部とからなり、前記挟持部に前記第一チューブを挟み位置固定するとともに、前記吸盤が吸着位置自在であることを特徴とする（１）〜（７）の何れかに記載のシャワー装置の構成とした。
（９）
前記ポンプの吸入口を、髪の吸引を防ぐ網状物で覆ったことを特徴とする（１）〜（８）の何れかに記載のシャワー装置の構成とした。
（１０）
前記液体の温度を所定温度に加温・保持する加熱器を備えることを特徴とする（１）〜（９）の何れかに記載のシャワー装置の構成とした。
（１１）
前記容器が、シャンプーボウルであることを特徴とする（１）〜（１０）の何れかに記載のシャワー装置の構成とした。
（１２）
前記液体が、頭皮又は及び頭髪のケアに有効な成分を含むことを特徴とする（１）〜（１１）の何れかに記載のシャワー装置の構成とした。
（１３）
前記液体に、トリートメント剤を含むことを特徴とする（１）〜（１２）の何れかに記載のシャワー装置の構成とした。
（１４）
前記ポンプの吐出口から前記ノズルユニットを外した上で前記ポンプの吐出口に別体シャワーヘッド接続し、
又は前記ノズルユニットへの送液を前記第一チューブで分岐させて、一方の分岐に前記ノズルユニットを他方の分岐に別体シャワーヘッド接続し、
被施術者の後頭部にも前記液体を循環シャワーすることを特徴とする（１）〜（１３）の何れかに記載のシャワー装置の構成とした。
（１５）
液体吸入側に接続する複数のジョイント管と、
前記複数のジョイント管の他端部に接続するＬ字管と、
前記Ｌ字管の他端に接続し前記液体を噴射するノズルを備えた複数のＴ字管と、
前記複数のＴ字管の他端部に接続する第二Ｌ字管と、
前記第二Ｌ字管の他端に接続するソケット管と、
前記ソケット管の他端に接続し、位置固定具によって位置固定されるネジ管と、
前記第二Ｌ字管内に配置され、前記液体の送液を止めるストッパと、
からなり、
前記各管の接続部を回動可能に連結したことを特徴とするノズルユニットの構成とした。
（１６）
容器に溜められた液体を頭皮又は／及び頭髪に循環シャワーするシャワー装置であって、
前記液体を吸引吐出するポンプと、
前記ポンプの吐出口に接続する可撓性の第一チューブと、
前記第一チューブに接続し、他端が封止され、被施術者の頭部から浮いた状態で前記頭部にシャワーを噴射するノズルユニットと、
前記ノズルユニットの途中に接続し、前記ノズルユニットの位置固定をする固定具と、
からなることを特徴とするシャワー装置の構成とした。
（１７）
前記ノズルユニットが、
前記第一チューブに接続する複数のジョイント管と、
前記複数のジョイント管の他端部に接続するＹ字管と、
前記Ｙ字管の分岐の一方に接続し前記液体を噴射するノズルを備えた複数のＴ字管と、
前記複数のＴ字管の終端と、
前記複数のＴ字管の他端部を封止するエンド管と、
前記Ｙ字管の分岐の他方に接続するソケット管と、
前記ソケット管の他端に接続し前記固定具端部の螺合部に接合するネジ管と、
からなり、
前記各管の接続部を回動可能に連結したことを特徴とする（１６）に記載のシャワー装置の構成とした。
（１８）
前記第一チューブを、前記容器の底部に着脱可能に吸着する吸盤部と、前記吸盤部に連設し前記第一チューブを通すリング部とからなる第二固定具で固定したことを特徴とする（１６）又は（１７）に記載のシャワー装置の構成とした。
【発明の効果】
【０００９】
本発明は、上記構成であるので、ノズルユニットが被施術者に直接触れることなく衛生的に、液体を被施術者の頭皮又は／及び頭髪に噴射することができる。また、各ノズルの位置を自在に配置でき、さらにシャワーの噴射位置を個別に微調整することもできる。吸盤を用いた固定具を採用しているため、ほぼ全てのシャンプーボウルに取り付けることができる。また取り付け位置についても、シャンプーボウルの内側、底面、外側面など自由に換えることができ、様々なシャンプーボウルに対応することができる。ノズルユニットの両端を支持しても、一方のみを支持しても、位置固定ができる。特に、実施例３のように、一端でノズルユニットを支持することで、位置決めが容易であり、セッティングも容易になる。いずれであっても、施術者の両手が自由になるので、頭部へのマッサージを従来よりも充実させることができる。また、ノズルユニットの位置を固定したならば、施術者がかかりきりならずに、循環シャワーすることができる。
【図面の簡単な説明】
【００１０】
【図１】本発明であるシャワー装置の使用状態の一例の説明図である。
【図２】本発明であるシャワー装置のノズルユニットの断面図である。
【図３】本発明であるシャワー装置のノズルユニットを広げたときの断面図である。
【図４】ジョイント管の説明拡大図である。（Ａ）が正面図、（Ｂ）が断面図である。
【図５】Ｔ字管の説明拡大図である。（Ａ）が正面図、（Ｂ）が断面図である。
【図６】Ｌ字管の説明拡大図である。（Ａ）が正面図、（Ｂ）が断面図である。
【図７】ソケット管の説明拡大図である。（Ａ）が正面図、（Ｂ）が断面図である。
【図８】ネジ管の説明拡大図である。（Ａ）が正面図、（Ｂ）が断面図である。
【図９】各管の回動を説明する図である。（Ａ）は直線状位置、（Ｂ）は上方に回動させたときの図、（Ｃ）は下方に回動させたときの図である。
【図１０】後頭部に液体をシャワーするための別体シャワーヘッドの説明図である。
【図１１】本発明であるシャワー装置の他の実施形態の使用状態の一例の説明図である。
【図１２】本発明であるシャワー装置の他の実施形態のノズルユニットの断面図である。
【図１３】Ｙ字管の説明拡大図である。（Ａ）が正面図、（Ｂ）が断面図である。
【図１４】エンド管の説明拡大図である。（Ａ）が正面図、（Ｂ）が断面図である。
【発明を実施するための形態】
【００１１】
以下、図面に基づき本発明について詳細に説明する。なお、本発明は下記実施例に限定されるものではない。
【実施例１】
【００１２】
図１〜図９に示すように、本発明であるシャワー装置１は、ポンプ２と、第一チューブ３と、ノズルユニット４と、第二チューブ１１と、軸１３と、第一固定具１４と、第二固定具１５と、からなり、容器、図１では、シャンプーボウル２０に溜められた液体２０ａを頭皮又は／及び頭髪に循環シャワー２０ｂする装置である。
【００１３】
シャンプーボウル２０には、通常、シャワーヘッド２１、蛇口２２が備えられている。液体は、シャンプーボウル２０の底に位置する排出口（図示省略）に栓をして溜められる。被施術者は、美容院・美容室では、一般に、図１に示すように、シャンプーボウル２０に仰向けで頭部を位置させる。
【００１４】
液体としては、炭酸水、水素水又はアルカリイオン水、トリートメントなど、頭皮及び／又は頭髪のケアに有効な成分を含むものが使用される。また、液体２０ａは数分〜数十分シャワー２０ｂされるため、液体２０ａの温度低下を防ぐため、液体２０ａの温度を所定温度に加温・保持する加熱器を備えることが望ましい。液体２０ａに浸漬するサーモスタット型ヒーター、ポンプ２に吸引された液体を別体のヒーター装置を迂回して、液体を加温・保持してノズルユニット４に送液し、シャワー２０ｂしてもよい。
【００１５】
ポンプ２は、シャンプーボウル２０に溜められた液体を頭皮又は／及び頭髪に循環シャワー２０ｂするために、液体２０ａを吸引する吸入口２ａと、液体２０ａをノズルユニット４に向け吐出する吐出口２ｂを備え、コード２ｃ、ポンプ２の駆動をオンオフするスイッチ２ｄ、リード線２ｅ、プラグ２ｆを介して、商用電源に接続し駆動する。例えば、市販されている、風呂の湯を洗濯槽に移送するポンプを採用することができる。なお、ポンプ２の吸入口２ａを、髪の吸引を防ぐ網状物（例えば、ネット３０）で覆うことが望ましい。
【００１６】
第一チューブ３はポンプ２の吐出口２ｂに接続する可撓性あるチューブで、第二チューブ１１はノズルユニット４の他端部にその端部の螺合部１１ａで接続するフレキシブルチューブである。これらチューブは、ノズルユニット４の位置を自在に位置決めするために役立つ。
【００１７】
軸１３は、第二チューブ１１に接続し、第二チューブ１１の端部の位置決めに役立つ。第二チューブ１１と軸１３は、図１に示すように、カプラー１２で着脱自在とするとよい。被施術者へのシャワー２０ｂが終了した後、第一固定具１４をシャンプーボウル２０から外すことなく、カプラー１２部分で分離することで、被施術者の起き上がりをスムーズに行うことができる。
【００１８】
第一固定具１４は、軸１３を固定することで、第二チューブ１１の位置を固定することができ、シャンプーボウルに着脱可能に固定される。固定位置は、図１ではシャンプーボウル上面としているが、シャンプーボウル２０の側面であってもよい。被施術者の頭部の位置に合わせて、自在に取り付けできる。それにより、ノズルユニット４を被施術者の頭部形状、シャワー位置に合わせて、額上方などの空中での大まかな位置決め容易に行うことができる。
【００１９】
第一固定具１４は、例えば、シャンプーボウル２０に着脱可能に吸着する吸盤１４ａと、吸盤１４ａの起立部に穿設された穴１４ｂとからなり、穴１４ｂに軸１３が挿通される。吸盤１４ａを用いるため、第一固定具１４のシャンプーボウル２０における吸着位置は自在である。
【００２０】
第二固定具１５は、例えば、シャンプーボウル２０に着脱可能に吸着する吸盤１５ａと、吸盤１５ａに回動可能に備えられた挟持部１５ｂと、からなり、挟持部１５ｂに第一チューブ３を挟み、ポンプ２及び第一チューブ３の位置決めをする。吸盤１５ａを用いるため、第二固定具１５の吸着位置もシャンプーボウル２０において自在である。
【００２１】
ノズルユニット４は、図２、３に示すように、複数のジョイント管５と、Ｌ字管７と、複数のＴ字管６、６‘と、第二Ｌ字管７と、ソケット管８と、ネジ管９と、ストッパ７ｆと、からなり、さらに好ましくはシャフト１０を備え、各管の接続部を回動可能に連結する（図９参照）。それにより、ノズルユニット４が、被施術者の頭部の形状にそって変形可能になる。図３に示すように、図２より幅広にノズルユニットを形状可変とすることができる。各管は、プラスチック成形によって製造可能である。
【００２２】
ジョイント管５は、図４に示すように、管状のストレート部５ａと、ストレート部５ａの一方に連設し端部に向け拡張したスカート部５ｂと、スカート部５ｂの端部に連設した径が絞られた肉厚部５ｃと、ストレート部５ａの他端に連設した球体部５ｄとからなり、内部空洞５ｅで、空洞５ｅに液体２０ａが流れる。
【００２３】
ジョイント管５のスカート部５ｂと肉厚部５ｃに球体部５ｄ（他の管の球体部も）が回動可能に嵌る。回動には一定以上の力を要し、空中に静置した状態では自然に回動せず、位置固定される。
【００２４】
図１〜図３に示すように、複数のジョイント管５の一方（スカート部５ｂ側）は第一チューブ３に接続され、他方（球体部５ｄ側）はＬ字管７に接続される。複数のジョイント管５を連結した管は、それぞれ図９に示すように、回動可能に連結される。
【００２５】
Ｔ字管６は、図５に示すように、管状のストレート部６ａと、ストレート部６ａの一方に連設し端部に向け拡張したスカート部６ｂと、スカート部６ｂの端部に連設した径が絞られた肉厚部６ｃと、ストレート部６ａの他端に連設した球体部６ｄと、ストレート部６ａに直交して接続するシャワー２０ｂの噴射口６ｆを備えるノズル部６ｅとからなり、内部空洞６ｇで、空洞６ｇに液体２０ａが流れる。
【００２６】
Ｔ字管６のスカート部６ｂと肉厚部６ｃに球体部６ｄ（他の管の球体部も）が回動可能に嵌る。回動には一定以上の力を要し、空中に静置した状態では自然に回動せず、位置固定される。また、Ｔ字管６毎に回動させることができるため、ノズル部６ｅの向きも自在に可変となり、シャワー２０ｂの噴射位置も微調整できる。
【００２７】
図１〜３に示すように、複数のＴ字管６の一方（スカート部６ｂ側）はＬ字管７に接続され、他方（球体部６ｄ側）は第二Ｌ字管７‘に接続される。複数のＴ字管６を連結した管は、それぞれ図９に示すように、回動可能に連結される。
【００２８】
Ｔ字管６‘は、図５に示すように、シャワー２０ｂ量を額部に増量するため、穴６ｈが穿設されている。また、回動を制御する部分のＴ字管６’には、ネジ孔６ｉが穿設され、ネジ４ａで固定するとよい。
【００２９】
被施術者の額上方の複数のＴ字管６‘の重なり部分をネジ４ａで固定（図１〜３参照）することで、その部分のＴ字管６’は直線状に保持される。額部分へのシャワー２０ｂ位置は、顔側への流れ込みを防止する上で重要であるので、この位置のＴ字管６‘は回動しないようにしたほうが好ましい。
【００３０】
Ｌ字管７は、図６に示すように、９０度に屈曲したＬ字部７ａと、Ｌ字部７ａの一方に連設し端部に向け拡張したスカート部７ｂと、スカート部７ｂの端部に連設した径が絞られた肉厚部７ｃと、Ｌ字部７ａの他端に連設した球体部７ｄとからなり、内部空洞７ｅで、空洞７ｅに液体２０ａが流れる。
【００３１】
Ｌ字管７のスカート部７ｂと肉厚部７ｃに、ジョイント管５の球体部５ｄが回動可能に嵌る。他方、Ｌ字管７の球体部７ｄは、複数のＴ字管６の端部のＴ字管６のスカート部６ｂ及び肉厚部６ｃに回動可能に嵌る。回動には一定以上の力を要し、空中に静置した状態では自然に回動せず、位置固定される。
【００３２】
第二Ｌ字管７‘は、Ｌ字管７と形状は同じであるが、図２、３に示すように、内部に、液体の送液を止めるストッパ７ｆが備えられる。接着剤など充填固化させればよい。
【００３３】
第二Ｌ字管７‘のスカート部７ｂ及び肉厚部７ｃは、複数のＴ字管６の球体部６ｄと回動可能に連結し、球体部７ｄは、ソケット管８の一方に連結される。
【００３４】
ソケット管８は、図７に示すように、管状のストレート部８ａと、ストレート部８ａの両方に連設し端部に向け拡張したスカート部８ｂと、スカート部８ｂの端部に連設した径が絞られた肉厚部８ｃとからなり、内部空洞８ｄである。ソケット管８の一方は、第二Ｌ字管７‘の球体部７ｄと、他方はネジ管９に回動可能に連結する。
【００３５】
ネジ管９は、図８に示すように、ナット部９ａと、ナット部９ａに連設するネジ部９ｂと、ナット部９ａの他方に連結する球体部９ｃとからなり、内部空洞９ｄである。ネジ管９の球体部９ｃはソケット管８に接続し、ネジ部９ｂは第二チューブ１１の螺合部１１ａに接続する。
【００３６】
シャフト１０は、図２、３に示すように、第二チューブ１１の一部、ネジ管９、ソケット管８及び第二Ｌ字管７‘内に挿通、固定され、第二チューブ１１の一部、ネジ管９、ソケット管８及び第二Ｌ字管７’を直線状に保持する。それによりノズルユニット４の空中位置を保持しやすくする。
【実施例２】
【００３７】
次に、後頭部のシャワー方法について、説明する。実施例１のシャワー装置１では、後頭部への液体のシャワー２０ｂは十分でないため、図１０に示すように、例えば、シャワー装置１で被施術者の頭皮又は／及び頭髪に液体シャワー２０ｂを施した後、ポンプ２の吐出口２ｂに、別体シャワーヘッド２３を接続し、後頭部へのシャワー２３ａをも可能に、循環シャワーする。
【００３８】
別体シャワーヘッド２３は、例えば、図１０に示すように、ポンプ２の吐出口２ｂに接続する第一チューブ３と、第一チューブ３の端部に備えたカプラー２４と、カプラー２４の他端に接続したホース２５と、ホース２５の他端に接続したシャワーヘッド２６とからなり、手で把持したシャワーヘッド２６から液体２０ａを頭部に向け、特に、後頭部に向けシャワー２３ａする。これにより、頭皮又は／及び頭髪全体のケアも十分かつ容易になる。
【００３９】
或いは、実施例１のシャワー装置１と同時にシャワー２３ａすることもできる。即ち、第一チューブ３を分岐させ、一方にはノズルユニット４を接続し、他方に別体シャワーヘッド２３を接続する。その際、手動で後頭部にシャワー２３ａしてもよいし、シャワー２３ａが後頭部に当たるよう、シャワーヘッド２６をシャンプーボウル２０内面に固定具で位置固定してもよい。
【実施例３】
【００４０】
図１１〜図１４に示すように、本発明の第二の実施形態であるシャワー装置１ａは、ポンプ２と、第一チューブ３と、ノズルユニット４ｂと、第二チューブ１１と、軸１３と、第一固定具１４と、第二固定具２９と、からなり、容器、図１１では、シャンプーボウル２０に溜められた液体２０ａを頭皮又は／及び頭髪に循環シャワー２０ｂする装置である。
【００４１】
以下、各部品について、詳しく説明するが、実施例１と同一の名称、符号については、同一であるので、その説明を省略する。なお、ポンプ２の吐出口２ｂと第一チューブ３の連結部は、バンド２８で締め付けると連結を強固に保持できる。
【００４２】
ノズルユニット４ｂは、図１１、１２に示すように、複数のジョイント管５と、Ｙ字管３１と、複数のＴ字管６、６‘と、エンド管３２と、ソケット管８と、ネジ管９と、ストッパ７ｆと、からなり、さらに好ましくはシャフト１０を備え、各管の接続部を回動可能に連結する（図９参照）。それにより、ノズルユニット４ｂが、被施術者の頭部の形状にそって変形可能になる。各管は、プラスチック成形によって製造可能である。
【００４３】
Ｙ字管３１は、図１３に示すように、端部に向け拡張したスカート部３１ｂと、スカート部３１ｂの端部に連設した径が絞られた肉厚部３１ｃと、スカート部３１ｂの他端から２本分岐（二股部３１ｅ）した管状のストレート部３１ａ、３１ａと、ストレート部３１ａのそれぞれの端部に連設した内部空洞３１ｆ、３１ｇを備える球体部３１ｄ、３１ｄとからなる。空洞３１ｈ、３１ｆに液体２０ａが流れる。空洞３１ｇは、ストッパ３１ｉが詰められて、ソケット管８に液体２０ａを流さない。
【００４４】
図１２に示すように、Ｙ字管３１の肉厚部３１ｃはジョイント管５の球体部５ｄを回動可能に嵌め、ストッパ３１ｉを有する球体部３１ｄがソケット管８の肉厚部８ｃ内に回動可能に嵌められ、他方の球体部３１ｄがＴ字管６のスカート部６ｂの肉厚部６ｃ内に回動可能に嵌められる。
【００４５】
エンド管３２は、図１４に示すように、管状のストレート部３２ａと、ストレート部３２ａの一方に連設し端部に向け拡張したスカート部３２ｂと、スカート部３２ｂの端部に連設した径が絞られた肉厚部３２ｃと、ストレート部３２ａの他端に連設した封止部３２ｅとからなり、内部に空洞３２ｄを備える。肉厚部３２ｃに、端部のＴ字管６の球体部６ｄが回動可能に嵌る。液体２０ａの流れを封止部３２ｅで止める。なお、終端のＴ字管６のノズル部６ｅを水面に向け、シャワー２０ｂを水面に当てることで、水音が耳元で聞こえてリラクゼーション効果を高めることができる。
【００４６】
第二固定具２９は、容器の底部に着脱可能に吸着する吸盤部２９ｂと、吸盤部２９ｂに連設し第一チューブ３を通すリング部２９ａとからなり、第一チューブ３の位置決めをする。
【符号の説明】
【００４７】
１      シャワー装置
１ａ    シャワー装置
２      ポンプ
２ａ    吸入口
２ｂ    吐出口
２ｃ    コード
２ｄ    スイッチ
２ｅ    リード線
２ｆ    プラグ
３      第一チューブ
４      ノズルユニット
４ａ    ネジ
４ｂ    ノズルユニット
５      ジョイント管
５ａ    ストレート部
５ｂ    スカート部
５ｃ    肉厚部
５ｄ    球体部
５ｅ    空洞
６      Ｔ字管
６ａ    ストレート部
６ｂ    スカート部
６ｃ    肉厚部
６ｄ    球体部
６ｅ    ノズル部
６ｆ    噴射口
６ｇ    空洞
６ｈ    穴
６ｉ    ネジ孔
６‘    Ｔ字管
７      Ｌ字管
７ａ    Ｌ字部
７ｂ    スカート部
７ｃ    肉厚部
７ｄ    球体部
７ｅ    空洞
７ｆ    ストッパ
７‘    Ｌ字管
８      ソケット管
８ａ    ストレート部
８ｂ    スカート部
８ｃ    肉厚部
８ｄ    空洞
９      ネジ管
９ａ    ナット部
９ｂ    ネジ部
９ｃ    球体部
９ｄ    空洞
１０    シャフト
１１    第二チューブ
１１ａ  螺合部  
１２    カプラー
１３    軸
１４    第一固定具
１４ａ  吸盤
１４ｂ  穴
１５    第二固定具
１５ａ  吸盤
１５ｂ  挟持部
２０    シャンプーボウル
２０ａ  液体
２０ｂ  シャワー
２１    シャワーヘッド
２２    蛇口
２３    別体シャワーヘッド
２３ａ  シャワー
２４    カプラー
２５    ホース
２６    シャワーヘッド
２８    バンド
２９    第二固定具
２９ａ  リング部
２９ｂ  吸盤部
３０    ネット
３１    Ｙ字管
３１ａ  ストレート部
３１ｂ  スカート部
３１ｃ  肉厚部
３１ｄ  球体部
３１ｅ  二股部
３１ｆ  空洞
３１ｇ  空洞
３１ｈ  空洞
３１ｉ  ストッパ
３２    エンド管
３２ａ  ストレート部
３２ｂ  スカート部
３２ｃ  肉厚部
３２ｄ  空洞
３２ｅ  封止部
【図１】
2015116465.tif 000003
【図２】
2015116465.tif 000004
【図３】
2015116465.tif 000005
【図４】
2015116465.tif 000006
【図５】
2015116465.tif 000007
【図６】
2015116465.tif 000008
【図７】
2015116465.tif 000009
【図８】
2015116465.tif 000010
【図９】
2015116465.tif 000011
【図１０】
2015116465.tif 000012
【図１１】
2015116465.tif 000013
【図１２】
2015116465.tif 000014
【図１３】
2015116465.tif 000015
【図１４】
2015116465.tif 000016
【手続補正書】
【提出日】平成26年1月29日(2014.1.29)
【手続補正１】
【補正対象書類名】図面
【補正対象項目名】図８
【補正方法】変更
【補正の内容】
【図８】
2015116465.tif 000017